(57)【要約】  各カラムを用いて分析する際に使用可能な移動相のｐＨの範囲が、各カラムの識別情報に対応付けてｐＨ範囲登録部により登録される。各移動相のｐＨがｐＨ登録部により登録される。分析に用いるカラムがカラム選択部により選択される。登録されているｐＨが、選択されたカラムに対応付けて登録されているｐＨの範囲外である移動相が、選択されたカラムに供給されないように、分析制御部によりクロマトグラフ装置が制御される。登録されているｐＨが、選択されたカラムに対応付けて登録されているｐＨの範囲内である移動相が、選択されたカラムに供給されつつ分析が行われるように、分析制御部によりクロマトグラフ装置が制御される。
2020084785.tif 000002
【特許請求の範囲】
【請求項１】
複数のカラムのいずれかと複数の移動相のいずれかとを用いて試料の分析を行うクロマトグラフ装置を制御するクロマトグラフ制御装置であって、
各カラムを用いて分析する際に使用可能な移動相のｐＨの範囲を、各カラムの識別情報に対応付けて登録するｐＨ範囲登録部と、
各移動相のｐＨを登録するｐＨ登録部と、
分析に用いるカラムを選択するカラム選択部と、
前記ｐＨ登録部に登録されているｐＨが、前記カラム選択部により選択されたカラムに対応付けて前記ｐＨ範囲登録部に登録されているｐＨの範囲外である移動相が、前記選択されたカラムに供給されないように、前記クロマトグラフ装置を制御し、前記ｐＨ登録部に登録されているｐＨが、前記選択されたカラムに対応付けて前記ｐＨ範囲登録部に登録されているｐＨの範囲内である移動相が、前記選択されたカラムに供給されつつ分析が行われるように、前記クロマトグラフ装置を制御する分析制御部とを備える、クロマトグラフ制御装置。
【請求項２】
使用者の操作に基づいて、各カラムを用いて分析する際に使用可能な移動相のｐＨの範囲が入力されるｐＨ範囲入力部をさらに備え、
前記ｐＨ範囲登録部は、各カラムに対応付けて前記ｐＨ範囲入力部により入力されたｐＨの範囲を登録する、請求項１記載のクロマトグラフ制御装置。
【請求項３】
使用者の操作に基づいて、各移動相のｐＨが入力されるｐＨ入力部をさらに備え、
前記ｐＨ登録部は、各移動相について前記ｐＨ入力部により入力されたｐＨを登録する、請求項２記載のクロマトグラフ制御装置。
【請求項４】
分析に用いる移動相として前記複数の移動相を自動的に順次選択する移動相選択部と、
評価部とをさらに備え、
前記カラム選択部は、分析に用いるカラムとして前記複数のカラムを自動的に順次選択するように構成され、
前記分析制御部は、前記ｐＨ登録部に登録されているｐＨが、前記カラム選択部により選択されたカラムに対応付けて前記ｐＨ範囲登録部に登録されているｐＨの範囲外である移動相が、前記選択されたカラムに供給されず、前記ｐＨ登録部に登録されているｐＨが、前記選択されたカラムに対応付けて前記ｐＨ範囲登録部に登録されているｐＨの範囲内である移動相が、前記選択されたカラムに供給されるように、前記クロマトグラフ装置を制御し、
前記評価部は、前記分析制御部により実行された分析の結果を評価する、請求項１〜３のいずれか一項に記載のクロマトグラフ制御装置。
【請求項５】
各カラムと各移動相との組み合わせを含むバッチファイルを作成する作成部をさらに備え、
前記分析制御部は、前記バッチファイルに含まれるカラムと移動相との組み合わせに従って分析を実行するように前記クロマトグラフ装置を制御し、
前記作成部は、前記ｐＨ登録部に登録されているｐＨが、前記ｐＨ範囲登録部に登録されているｐＨの範囲外となる、カラムと移動相との組み合わせが前記バッチファイルに含まれないよう前記バッチファイルを作成する、請求項１〜３のいずれか一項に記載のクロマトグラフ制御装置。
【請求項６】
クロマトグラフ装置と、
請求項１〜３のいずれか一項に記載のクロマトグラフ制御装置とを備え、
前記クロマトグラフ装置は、
複数のカラムと、
複数の移動相のうちいずれかの移動相を前記複数のカラムのうちいずれかのカラムに供給する移動相供給部と、
前記カラムに試料を供給する試料供給部と、
前記カラムを通過した試料を検出する検出器とを含む、クロマトグラフシステム。
【請求項７】
複数のカラムのいずれかと複数の移動相のいずれかとを用いて試料の分析を行うクロマトグラフ装置を制御するクロマトグラフ制御方法であって、
各カラムを用いて分析する際に使用可能な移動相のｐＨの範囲を、各カラムの識別情報に対応付けて登録するステップと、
各移動相のｐＨを登録するステップと、
分析に用いるカラムを選択するステップと、
登録されているｐＨが、選択されたカラムに対応付けて登録されているｐＨの範囲外である移動相が、前記選択されたカラムに供給されないように、前記クロマトグラフ装置を制御し、登録されているｐＨが、前記選択されたカラムに対応付けて登録されているｐＨの範囲内である移動相が、前記選択されたカラムに供給されつつ分析が行われるように、前記クロマトグラフ装置を制御するステップとを含む、クロマトグラフ制御方法。
【請求項８】
複数のカラムのいずれかと複数の移動相のいずれかとを用いて試料の分析を行うクロマトグラフ装置を制御するクロマトグラフ制御プログラムであって、
各カラムを用いて分析する際に使用可能な移動相のｐＨの範囲を、各カラムの識別情報に対応付けて登録する処理と、
各移動相のｐＨを登録する処理と、
分析に用いるカラムを選択する処理と、
登録されているｐＨが、選択されたカラムに対応付けて登録されているｐＨの範囲外である移動相が、前記選択されたカラムに供給されないように、前記クロマトグラフ装置を制御し、登録されているｐＨが、前記選択されたカラムに対応付けて登録されているｐＨの範囲内である移動相が、前記選択されたカラムに供給されつつ分析が行われるように、前記クロマトグラフ装置を制御する処理とを、
処理装置に実行させる、クロマトグラフ制御プログラム。
【発明の詳細な説明】
【技術分野】
【０００１】
本発明は、クロマトグラフ装置の制御を行うクロマトグラフ制御装置、クロマトグラフシステム、クロマトグラフ制御方法およびクロマトグラフ制御プログラムに関する。
【背景技術】
【０００２】
試料に含まれる物質を異なる成分ごとに分離する装置としてクロマトグラフ装置が知られている。例えば、特許文献１に記載された液体クロマトグラフ装置においては、分析対象の試料がオートサンプラにより分離カラム（以下、単にカラムと呼ぶ。）に導入される。また、溶離液（移動相）が溶離液ポンプによりカラムに供給される。カラムに導入された試料は、化学的性質または組成の違いにより成分ごとに溶離され、検出器により検出される。
【特許文献１】特開２００８−２２４５５９号公報
【発明の概要】
【発明が解決しようとする課題】
【０００３】
クロマトグラフ装置においては、カラムの充填剤、カラムの寸法、カラムの温度、移動相の種類、移動相のｐＨおよび移動相の流量等の種々の分析条件の各々を適切に選択する必要がある。したがって、使用者は、種々の分析条件の組み合わせの各々について試料の分析を行い、適切な分析条件の組み合わせを探索する。しかしながら、分析条件によっては、カラムに負荷が加わることによりカラムが破損する可能性がある。【０００４】
本発明の目的は、カラムの破損を防止することが可能なクロマトグラフ制御装置、クロマトグラフシステム、クロマトグラフ制御方法およびクロマトグラフ制御プログラムを提供することである。
【課題を解決するための手段】
【０００５】
（１）本発明の一局面に従うクロマトグラフ制御装置は、複数のカラムのいずれかと複数の移動相のいずれかとを用いて試料の分析を行うクロマトグラフ装置を制御するクロマトグラフ制御装置であって、各カラムを用いて分析する際に使用可能な移動相のｐＨの範囲を、各カラムの識別情報に対応付けて登録するｐＨ範囲登録部と、各移動相のｐＨを登録するｐＨ登録部と、分析に用いるカラムを選択するカラム選択部と、ｐＨ登録部に登録されているｐＨが、カラム選択部により選択されたカラムに対応付けてｐＨ範囲登録部に登録されているｐＨの範囲外である移動相が、選択されたカラムに供給されないように、クロマトグラフ装置を制御し、ｐＨ登録部に登録されているｐＨが、選択されたカラムに対応付けてｐＨ範囲登録部に登録されているｐＨの範囲内である移動相が、選択されたカラムに供給されつつ分析が行われるように、クロマトグラフ装置を制御する分析制御部とを備える。【０００６】
このクロマトグラフ制御装置においては、各カラムを用いて分析する際に使用可能な移動相のｐＨの範囲が、各カラムの識別情報に対応付けて登録され、各移動相のｐＨが登録される。分析に用いるカラムが選択される。ここで、登録されているｐＨが、選択されたカラムに対応付けて登録されているｐＨの範囲外である移動相が、選択されたカラムに供給されないように、クロマトグラフ装置が制御される。一方、登録されているｐＨが、選択されたカラムに対応付けて登録されているｐＨの範囲内である移動相が、選択されたカラムに供給されつつ分析が行われるように、クロマトグラフ装置が制御される。【０００７】
この構成によれば、登録されているｐＨが、選択されたカラムに対応付けて登録されているｐＨの範囲外であることにより、当該各カラムを用いて分析する際に使用不可能な移動相が、当該カラムに供給されることが防止される。これにより、カラムの破損を防止することができる。【０００８】
（２）クロマトグラフ制御装置は、使用者の操作に基づいて、各カラムを用いて分析する際に使用可能な移動相のｐＨの範囲が入力されるｐＨ範囲入力部をさらに備え、ｐＨ範囲登録部は、各カラムに対応付けてｐＨ範囲入力部により入力されたｐＨの範囲を登録してもよい。この場合、使用者は、ｐＨ範囲入力部を操作することにより、各カラムの識別情報に対応付けて、各カラムを用いて分析する際に使用可能な移動相のｐＨの範囲を容易に入力することができる。【０００９】
（３）クロマトグラフ制御装置は、使用者の操作に基づいて、各移動相のｐＨが入力されるｐＨ入力部をさらに備え、ｐＨ登録部は、各移動相についてｐＨ入力部により入力されたｐＨを登録してもよい。この場合、使用者は、ｐＨ入力部を操作することにより、各移動相のｐＨを容易に入力することができる。【００１０】
（４）クロマトグラフ制御装置は、分析に用いる移動相として複数の移動相を自動的に順次選択する移動相選択部と、評価部とをさらに備え、カラム選択部は、分析に用いるカラムとして複数のカラムを自動的に順次選択するように構成され、分析制御部は、ｐＨ登録部に登録されているｐＨが、カラム選択部により選択されたカラムに対応付けてｐＨ範囲登録部に登録されているｐＨの範囲外である移動相が、選択されたカラムに供給されず、ｐＨ登録部に登録されているｐＨが、選択されたカラムに対応付けてｐＨ範囲登録部に登録されているｐＨの範囲内である移動相が、選択されたカラムに供給されるように、クロマトグラフ装置を制御し、評価部は、分析制御部により実行された分析の結果を評価してもよい。【００１１】
この構成によれば、カラムと移動相との組み合わせに対応する分析結果が取得され、当該分析の結果が評価される。これにより、使用者は、試料の分析に最適なカラムと移動相との組み合わせを容易に判断することができる。また、カラムと移動相との組み合わせを変更しつつ分析を行う場合でも、各カラムを用いて分析する際に使用不可能な移動相が、当該カラムに供給されることが防止される。これにより、カラムの破損を防止することができる。【００１２】
（５）クロマトグラフ制御装置は、各カラムと各移動相との組み合わせを含むバッチファイルを作成する作成部をさらに備え、分析制御部は、バッチファイルに含まれるカラムと移動相との組み合わせに従って分析を実行するようにクロマトグラフ装置を制御し、作成部は、ｐＨ登録部に登録されているｐＨが、ｐＨ範囲登録部に登録されているｐＨの範囲外となる、カラムと移動相との組み合わせがバッチファイルに含まれないようバッチファイルを作成してもよい。この場合、分析制御部は、バッチファイルに従って、登録されているｐＨがいずれかのカラムに対応付けて登録されているｐＨの範囲外である移動相は当該カラムに供給されないようにクロマトグラフ装置を容易に制御することができる。【００１３】
（５）本発明の他の局面に従うクロマトグラフシステムは、クロマトグラフ装置と、上記クロマトグラフ制御装置とを備え、クロマトグラフ装置は、複数のカラムと、複数の移動相のうちいずれかの移動相を複数のカラムのうちいずれかのカラムに供給する移動相供給部と、カラムに試料を供給する試料供給部と、カラムを通過した試料を検出する検出器とを含む。【００１４】
このクロマトグラフシステムにおいては、クロマトグラフ装置により複数のカラムのうちいずれかのカラムにいずれかの移動相および試料が供給され、カラムを通過した試料が検出される。クロマトグラフ制御装置により、選択されたカラムを用いて分析が行われるようにクロマトグラフ装置が制御される。ここで、選択されたカラムを用いて分析する際に使用不可能な移動相は、当該カラムに供給されない。これにより、カラムの破損を防止することができる。【００１５】
（６）本発明のさらに他の局面に従うクロマトグラフ制御方法は、複数のカラムのいずれかと複数の移動相のいずれかとを用いて試料の分析を行うクロマトグラフ装置を制御するクロマトグラフ制御方法であって、各カラムを用いて分析する際に使用可能な移動相のｐＨの範囲を、各カラムの識別情報に対応付けて登録するステップと、各移動相のｐＨを登録するステップと、分析に用いるカラムを選択するステップと、登録されているｐＨが、選択されたカラムに対応付けて登録されているｐＨの範囲外である移動相が、選択されたカラムに供給されないように、クロマトグラフ装置を制御し、登録されているｐＨが、選択されたカラムに対応付けて登録されているｐＨの範囲内である移動相が、選択されたカラムに供給されつつ分析が行われるように、クロマトグラフ装置を制御するステップとを含む。【００１６】
このクロマトグラフ制御方法によれば、選択されたカラムを用いて分析する際に使用不可能な移動相は、当該カラムに供給されない。これにより、カラムの破損を防止することができる。【００１７】
（７）本発明のさらに他の局面に従うクロマトグラフ制御プログラムは、複数のカラムのいずれかと複数の移動相のいずれかとを用いて試料の分析を行うクロマトグラフ装置を制御するクロマトグラフ制御プログラムであって、各カラムを用いて分析する際に使用可能な移動相のｐＨの範囲を、各カラムの識別情報に対応付けて登録する処理と、各移動相のｐＨを登録する処理と、分析に用いるカラムを選択する処理と、登録されているｐＨが、選択されたカラムに対応付けて登録されているｐＨの範囲外である移動相が、選択されたカラムに供給されないように、クロマトグラフ装置を制御し、登録されているｐＨが、選択されたカラムに対応付けて登録されているｐＨの範囲内である移動相が、選択されたカラムに供給されつつ分析が行われるように、クロマトグラフ装置を制御する処理とを、処理装置に実行させる。【００１８】
このクロマトグラフ制御プログラムによれば、選択されたカラムを用いて分析する際に使用不可能な移動相は、当該カラムに供給されない。これにより、カラムの破損を防止することができる。なお、クロマトグラフ制御プログラムは、記憶媒体に記憶された形態で提供することも可能である。
【発明の効果】
【００１９】
本発明によれば、カラムの破損を防止することが可能になる。
【図面の簡単な説明】
【００２０】
【図１】図１は本発明の一実施の形態に係るクロマトグラフシステムの構成を示す図である。
【図２】図２はクロマトグラフ装置の構成を示す模式図である。
【図３】図３はクロマトグラフ制御装置の構成を示す図である。
【図４】図４は表示部に表示されるカラム登録画面の一例を示す図である。
【図５】図５は表示部に表示される移動相登録画面の一例を示す図である。
【図６】図６は表示部に表示される移動相登録画面の他の例を示す図である。
【図７】図７はクロマトグラフ制御プログラムにより行われるクロマトグラフ制御処理のアルゴリズムを示すフローチャートである。
【図８】図８は図７のクロマトグラフ制御処理におけるバッチファイル作成処理のアルゴリズムを示すフローチャートである。
【図９】図９は図７のクロマトグラフ制御処理におけるメソッドスカウティング処理のアルゴリズムの一例を示すフローチャートである。
【図１０】図１０はクロマトグラフ制御プログラムにより行われる他のクロマトグラフ制御処理のアルゴリズムを示すフローチャートである。
【発明を実施するための形態】
【００２１】
（１）クロマトグラフシステムの構成
以下、本発明の実施の形態に係るクロマトグラフ制御装置、クロマトグラフシステム、クロマトグラフ制御方法およびクロマトグラフ制御プログラムについて図面を参照しながら詳細に説明する。図１は、本発明の一実施の形態に係るクロマトグラフシステムの構成を示す図である。図１に示すように、クロマトグラフシステム３００は、処理装置１００およびクロマトグラフ装置２００を含む。
【００２２】
処理装置１００は、ＣＰＵ（中央演算処理装置）１１０、ＲＡＭ（ランダムアクセスメモリ）１２０、ＲＯＭ（リードオンリメモリ）１３０、記憶部１４０、操作部１５０、表示部１６０および入出力Ｉ／Ｆ（インターフェイス）１７０により構成される。ＣＰＵ１１０、ＲＡＭ１２０、ＲＯＭ１３０、記憶部１４０、操作部１５０、表示部１６０および入出力Ｉ／Ｆ１７０はバス１８０に接続される。ＣＰＵ１１０、ＲＡＭ１２０およびＲＯＭ１３０がクロマトグラフ制御装置１０を構成する。
【００２３】
ＲＡＭ１２０は、ＣＰＵ１１０の作業領域として用いられる。ＲＯＭ１３０にはシステムプログラムが記憶される。記憶部１４０は、ハードディスクまたは半導体メモリ等の記憶媒体を含む。記憶部１４０には、クロマトグラフ装置２００を制御するためのクロマトグラフ制御プログラムが記憶されている。なお、クロマトグラフ制御プログラムは、記憶部１４０とは異なる記憶媒体に記憶されていてもよい。ＣＰＵ１１０が記憶部１４０等に記憶されたクロマトグラフ制御プログラムをＲＡＭ１２０上で実行することにより、後述するクロマトグラフ制御処理が行われる。
【００２４】
操作部１５０は、キーボード、マウスまたはタッチパネル等の入力デバイスである。表示部１６０は、液晶表示装置等の表示デバイスであり、クロマトグラフ制御装置１０によるクロマトグラフ制御処理の実行画面等を表示する。入出力Ｉ／Ｆ１７０は、クロマトグラフ装置２００に接続される。
【００２５】
図２は、クロマトグラフ装置２００の構成を示す模式図である。図２に示すように、本実施の形態においては、クロマトグラフ装置２００は液体クロマトグラフ装置であり、移動相供給部２１０、試料供給部２２０、カラム恒温槽２３０および検出器２４０を備える。
【００２６】
移動相供給部２１０は、２つの送液部２１１，２１２および混合部２１３を含む。また、移動相供給部２１０には、複数（図２の例では８個）の薬液ボトルＢ１〜Ｂ８が設けられる。薬液ボトルＢ１〜Ｂ４には、それぞれ異なる水溶液が薬液として貯留される。薬液ボトルＢ５〜Ｂ８には、それぞれ異なる有機溶媒が薬液として貯留される。
【００２７】
送液部２１１，２１２は、例えば送液ポンプである。送液部２１１は、薬液ボトルＢ１〜Ｂ４のうち、図示しない切替バルブにより選択された、いずれか１個以上の薬液ボトルに貯留された薬液を圧送する。送液部２１２は、薬液ボトルＢ５〜Ｂ８のうち、図示しない切替バルブにより選択された、いずれか１個以上の薬液ボトルに貯留された薬液を圧送する。なお、送液部２１１と薬液ボトルＢ１〜Ｂ４との間、および送液部２１２と薬液ボトルＢ５〜Ｂ８との間の各々には、図示しない脱気装置が介挿される。
【００２８】
混合部２１３は、例えばグラジエントミキサである。混合部２１３は、送液部２１１により圧送された薬液と送液部２１２により圧送された薬液とを任意の割合で混合することにより種々の移動相を生成し、生成された移動相を供給する。試料供給部２２０は、例えばインジェクタである。試料供給部２２０は、分析対象の試料を移動相供給部２１０により供給された移動相とともに、後述するカラム２３１〜２３３のうち、図示しない切替バルブにより選択された、いずれかのカラムに選択的に導入する。
【００２９】
カラム恒温槽２３０の内部は所定の一定温度に調整される。カラム恒温槽２３０は、複数（本例では３個）のカラム２３１，２３２，２３３を収容する。各カラム２３１〜２３３は、導入された試料を化学的性質または組成の違いにより成分ごとに分離する。検出器２４０は、各カラム２３１〜２３３により分離された試料の成分を検出する。
【００３０】
クロマトグラフ制御装置１０は、カラム２３１〜２３３と移動相との組み合わせを変更しつつ試料の分析が行われるようにクロマトグラフ装置２００を制御する。これにより、所望の試料を適切に分析するための分析条件の組み合わせを探索することができる。このような分析条件の組み合わせの探索は、メソッドスカウティングと呼ばれる。以下、クロマトグラフ制御装置１０の構成について説明する。
【００３１】
（２）クロマトグラフ制御装置の構成
図３は、クロマトグラフ制御装置１０の構成を示す図である。図３に示すように、クロマトグラフ制御装置１０は、機能部として、ｐＨ範囲入力部Ａ、ｐＨ範囲登録部Ｂ、ｐＨ入力部Ｃ、ｐＨ登録部Ｄ、カラム選択部Ｅ、移動相選択部Ｆ、作成部Ｇ、分析制御部Ｈ、置換制御部Ｉ、取得部Ｊおよび評価部Ｋを含む。図１のＣＰＵ１１０が記憶部１４０等に記憶されたクロマトグラフ制御プログラムを実行することにより、クロマトグラフ制御装置１０の機能部が実現される。クロマトグラフ制御装置１０の機能部の一部または全部が電子回路等のハードウエアにより実現されてもよい。
【００３２】
ｐＨ範囲入力部Ａは、図２の各カラム２３１〜２３３を用いて分析する際に使用可能な移動相のｐＨの範囲を、各カラム２３１〜２３３の識別情報に対応付けて入力するためのカラム登録画面を表示部１６０に表示させる。また、ｐＨ範囲入力部Ａには、各カラム２３１〜２３３を用いて分析する際に使用可能な移動相のｐＨの範囲が、各カラム２３１〜２３３の識別情報に対応付けて操作部１５０から入力される。
【００３３】
図４は、表示部１６０に表示されるカラム登録画面の一例を示す図である。図４に示すように、カラム登録画面１６１は、複数の情報入力部１，２を含む。各情報入力部１，２は、文字列を入力するための欄またはプルダウンメニューである。使用者は、操作部１５０を用いて情報入力部１を操作することにより、各カラム２３１〜２３３を用いて分析する際の移動相のｐＨの範囲を入力することができる。また、使用者は、操作部１５０を用いて情報入力部２を操作することにより、各カラム２３１〜２３３の識別情報（本例では、当該カラムの名称、ブランド、固定相、耐圧、カラム充填剤の粒子径、カラムの内径またはカラムの長さ等を含む。）入力することができる。
【００３４】
ｐＨ範囲登録部Ｂは、ｐＨ範囲入力部Ａに入力された移動相のｐＨを、当該カラムを用いて分析する際に使用可能な移動相のｐＨの範囲として、ｐＨ範囲入力部Ａに入力された識別情報により特定されるカラムに対応付けて登録する。
【００３５】
ｐＨ入力部Ｃは、分析に用いる各移動相のｐＨの入力を受け付けるための移動相登録画面を表示部１６０に表示させる。また、ｐＨ入力部Ｃには、各移動相のｐＨが操作部１５０から入力される。分析に用いる移動相は、薬液ボトルＢ１〜Ｂ８に貯留された各薬液を含む。薬液ボトルＢ１〜Ｂ４に貯留された薬液、または薬液ボトルＢ５〜Ｂ８に貯留された薬液がブレンディングされた薬液を移動相として用いることも可能である。また、薬液ボトルＢ１〜Ｂ４に貯留されたいずれかの薬液と薬液ボトルＢ５〜Ｂ８に貯留されたいずれかの薬液との混合液を移動相として用いることも可能である。
【００３６】
図５は、表示部１６０に表示される移動相登録画面の一例を示す図である。図５に示すように、移動相登録画面１６２は、複数の情報入力部３，４を含む。各情報入力部３，４は、文字列を入力するための欄またはプルダウンメニューである。使用者は、操作部１５０を用いて情報入力部３を操作することにより、各移動相のｐＨを入力することができる。また、使用者は、操作部１５０を用いて各情報入力部４を操作することにより、当該移動相の名称等を入力することができる。
【００３７】
図６は、表示部１６０に表示される移動相登録画面１６２の他の例を示す図である。図６の例では、移動相登録画面１６２は、複数の情報入力部５をさらに含む。各情報入力部５は、文字列を入力するための欄またはプルダウンメニューである。複数の情報入力部５には、複数の薬液をブレンディングする場合における各薬液の名称およびブレンディングの比率を入力可能である。使用者は、操作部１５０を用いて各情報入力部３〜５を操作することにより、移動相のｐＨ、移動相の名称、各薬液の名称およびブレンディングの比率を入力することができる。
【００３８】
ｐＨ登録部Ｄは、ｐＨ入力部Ｃに入力された名称、当該移動相における各薬液の名称およびブレンディングの比率等により特定される移動相について、ｐＨ入力部Ｃに入力されたｐＨを登録する。
【００３９】
カラム選択部Ｅは、操作部１５０からの指示に基づいて、カラム２３１〜２３３のうちいずれかのカラムを選択する。使用者は、操作部１５０を操作することにより、カラム２３１〜２３３のうち所望のカラムを指示することができる。また、カラム選択部Ｅは、後述するメソッドスカウティング処理時には、分析に用いるカラムとして複数のカラム２３１〜２３３を自動的に順次選択する。
【００４０】
移動相選択部Ｆは、操作部１５０からの指示に基づいて、分析に用いる移動相を選択する。使用者は、操作部１５０を操作することにより、分析に用いる移動相として、移動相供給部２１０により供給可能な液体のいずれかを指示することができる。また、移動相選択部Ｆは、後述するメソッドスカウティング処理時には、分析に用いる移動相として複数の移動相を自動的に順次選択する。
【００４１】
作成部Ｇは、カラム２３１〜２３３と移動相との種々の組み合わせを用いて試料の分析を行うためのバッチファイルを作成する。ここで、ｐＨ登録部Ｄにより登録されているいずれかの移動相のｐＨが、ｐＨ範囲登録部Ｂによりいずれかのカラムの識別情報に対応付けて登録されているｐＨの範囲外である場合には、当該移動相は、当該カラムに負担を与える可能性がある。そのため、作成部Ｇは、当該移動相と当該カラムとの組み合わせをバッチファイルから除外する。
【００４２】
分析制御部Ｈは、移動相選択部Ｆにより選択された移動相がカラム選択部Ｅにより選択されたカラムに供給されつつ試料の分析を行うようにクロマトグラフ装置２００を制御する。また、後述するメソッドスカウティング処理時には、分析制御部Ｈは、カラム選択部Ｅにより選択されたカラム、移動相選択部Ｆにより選択された移動相および作成部Ｇにより作成されたバッチファイルに基づいて、カラム２３１〜２３３と移動相との組み合わせを変更しつつ試料の分析を行うようにクロマトグラフ装置２００を制御する。これらの場合において、登録されているｐＨが、カラム２３１〜２３３に対応付けて登録されているｐＨの範囲外の移動相は、当該カラム２３１〜２３３に供給されない。
【００４３】
分析制御部Ｈにより分析に用いる移動相が変更された直後には、カラム２３１〜２３３を含むクロマトグラフ装置２００の流路内に変更前の移動相が残存する。そのため、移動相の変更後、次の分析が直ちに行われると、当該移動相についての正確な分析結果を得ることができない。そこで、置換制御部Ｉは、分析に用いる移動相が変更された場合、流路内に残存する変更前の移動相が変更後の移動相により置換されるようにクロマトグラフ装置２００を制御する。分析制御部Ｇによる変更後の移動相についての次の分析は、置換制御部Ｉの動作後に行われる。
【００４４】
取得部Ｊは、クロマトグラフ装置２００による試料の成分の検出結果を取得し、取得された検出結果を処理することにより、各成分の保持時間と検出強度との関係を示すクロマトグラムを生成する。評価部Ｋは、取得部Ｊにより生成されたクロマトグラムが示す成分の分離度に基づいて当該クロマトグラムの良否を評価する。また、評価部Ｋは、クロマトグラムの評価結果と当該クロマトグラムが生成されたときの分析条件の組み合わせとを対応付けて表示部１６０に表示させる。
【００４５】
使用者は、表示部１６０に表示された評価結果を視認することにより、最適な分析条件の組み合わせを認識することができる。なお、表示部１６０には、生成された全部のクロマトグラムの評価結果が表示されてもよいし、一定以上の良好度を有するクロマトグラムの評価結果のみが表示されてもよいし、最も高い良好度を有するクロマトグラムの評価結果のみが表示されてもよい。全部のクロマトグラムの評価結果が表示される場合には、一定以上の良好度を有するクロマトグラムの評価結果が識別可能に表示されてもよいし、良好度が大きい順にクロマトグラムの評価結果が表示されてもよい。
【００４６】
（３）クロマトグラフ制御処理
図７は、クロマトグラフ制御プログラムにより行われるクロマトグラフ制御処理のアルゴリズムを示すフローチャートである。クロマトグラフ制御処理においては、まず、後述する図８のバッチファイル作成が実行される（ステップＳ１）。バッチファイル作成処理は、カラム２３１〜２３３と移動相との種々の組み合わせを用いて試料の分析を行うためのバッチファイルを作成する処理である。
【００４７】
その後、後述する図９のメソッドスカウティング処理が、ステップＳ１で作成されたバッチファイルに基づいて実行される（ステップＳ２）。メソッドスカウティング処理は、カラム２３１〜２３３と移動相との組み合わせを変更しつつ試料の分析を行い、各組み合わせについてのクロマトグラムを評価する処理である。ステップＳ２のメソッドスカウティング処理が実行された後、評価部Ｋは、分析処理における評価結果を表示部１６０に表示させ（ステップＳ３）、クロマトグラフ制御処理を終了する。
【００４８】
（４）バッチファイル作成処理
図８は、図７のクロマトグラフ制御処理におけるバッチファイル作成処理のアルゴリズムを示すフローチャートである。バッチファイル作成処理においては、ｐＨ範囲入力部Ａは、カラム登録画面１６１を表示部１６０に表示させる（ステップＳ１１）。
【００４９】
次に、ｐＨ範囲入力部Ａは、いずれかのカラム２３１〜２３３の識別情報に対応付けて移動相のｐＨの範囲が入力されたか否かを判定する（ステップＳ１２）。使用者は、カラム登録画面１６１において操作部１５０を操作することによりいずれかのカラム２３１〜２３３に対応付けて移動相のｐＨの範囲を入力することができる。移動相のｐＨの範囲が入力されない場合、ｐＨ範囲入力部ＡはステップＳ１４に進む。移動相のｐＨの範囲が入力された場合、ｐＨ範囲登録部Ｂは、入力された移動相のｐＨの範囲を当該カラムに対応付けて登録し（ステップＳ１３）、ステップＳ１４に進む。
【００５０】
ステップＳ１４で、ｐＨ入力部Ｃは、移動相登録画面１６２を表示部１６０に表示させる（ステップＳ１４）。次に、ｐＨ入力部Ｃは、いずれかの移動相についてｐＨが入力されたか否かを判定する（ステップＳ１５）。使用者は、移動相登録画面１６２において操作部１５０を操作することによりいずれかの移動相のｐＨを入力することができる。ｐＨが入力されない場合、ｐＨ入力部ＣはステップＳ１７に進む。ｐＨが入力された場合、ｐＨ登録部Ｄは、入力された移動相のｐＨを登録し（ステップＳ１６）、ステップＳ１７に進む。
【００５１】
ステップＳ１７で、作成部Ｇは、入力の終了が指示されたか否かを判定する（ステップＳ１７）。使用者は、操作部１５０を操作することにより、入力の終了を指示することができる。入力の終了が指示されない場合、作成部ＧはステップＳ１１に戻る。使用者が全部のカラム２３１〜２３３に対応付けて移動相のｐＨの範囲を入力しかつ全部の移動相のｐＨを入力し、入力の終了を指示するまでステップＳ１１〜Ｓ１７が繰り返される。
【００５２】
入力の終了が指示された場合、作成部Ｇは、カラム２３１〜２３３と移動相との種々の組み合わせを用いて試料の分析を行うためのバッチファイルを作成する（ステップＳ１８）。ここで、ステップＳ１６でいずれかの移動相に対応付けて登録されているｐＨが、ステップＳ１４でいずれかのカラムの識別情報対応付けて登録されているｐＨの範囲外である場合、当該移動相と当該カラムとの組み合わせが分析の手順から除外されるようにバッチファイルが作成される。すなわち、作成部Ｇは、選択可能なカラムおよび選択可能な移動相の全組み合わせを順番に選択していき、選択された移動相に対応付けて登録されているｐＨが、選択されたカラムに対応付けて登録されているｐＨの範囲の条件を満足していれば、選択されたカラムと移動相との組み合わせをバッチファイルに登録し、選択された移動相に対応付けて登録されているｐＨが、選択されたカラムに対応付けて登録されているｐＨの範囲の条件を満足しない場合、選択されたカラムと移動相との組み合わせをバッチファイルに登録しないようにする。
【００５３】
（５）メソッドスカウティング処理
図９は、図７のクロマトグラフ制御処理におけるメソッドスカウティング処理のアルゴリズムの一例を示すフローチャートである。図９のメソッドスカウティング処理においては、図８のバッチファイル作成処理で作成されたバッチファイルにおける１つ目の移動相とカラムとの組み合わせが選択されることにより、移動相選択部Ｆが移動相を選択し（ステップＳ２１）、カラム選択部Ｅがカラムを選択する（ステップＳ２２）。
【００５４】
次に、分析制御部Ｈは、分析対象の試料の分析が行われるようにクロマトグラフ装置２００を制御する（ステップＳ２３）。当該分析においては、ステップＳ２１で選択された移動相が、ステップＳ２２で選択されたカラムに供給される。取得部Ｊは、ステップＳ２３で行われたクロマトグラフ装置２００による試料の成分の検出結果を取得し、取得された検出結果を処理することにより、クロマトグラムを取得する（ステップＳ２４）。評価部Ｋは、ステップＳ２４で取得されたクロマトグラムの良否を評価する（ステップＳ２５）。
【００５５】
続いて、分析制御部Ｈは、バッチファイルにおける移動相とカラムとの全部の組み合わせについて分析が実行されたか否かを判定する（ステップＳ２６）。全部の組み合わせについて分析が実行されていない場合、分析制御部ＨはステップＳ２１に戻る。この場合、バッチファイルにおける次の移動相とカラムとの組み合わせが選択され、移動相とカラムとの全部の組み合わせについて分析が実行されるまでステップＳ２１〜Ｓ２６が繰り返される。ステップＳ２６で移動相とカラムとの全部の組み合わせについて分析が実行された場合、分析制御部Ｈはメソッドスカウティング処理を終了する。
【００５６】
なお、手順がステップＳ２６からステップＳ２１に戻る際に、分析に用いる移動相が変更される場合、置換制御部Ｉは、クロマトグラフ装置２００の流路内に残存する変更前の移動相が変更後の移動相により置換されるようにクロマトグラフ装置２００を制御する。移動相の置換は、変更後の移動相が所定の時間または所定の容量だけ流路に供給されることにより行われる。
【００５７】
（６）効果
本実施の形態に係るクロマトグラフシステム３００は、クロマトグラフ制御装置１０およびクロマトグラフ装置２００を備える。クロマトグラフ装置２００においては、移動相供給部２１０により複数の移動相のいずれかが、複数のカラム２３１〜２３３のうちいずれかに供給される。また、試料供給部２２０により試料が同カラム２３１〜２３３に供給される。当該カラム２３１〜２３３を通過した試料が検出器２４０により検出される。
【００５８】
クロマトグラフ制御装置１０においては、各カラム２３１〜２３３を用いて分析する際に使用可能な移動相のｐＨの範囲が、各カラム２３１〜２３３の識別情報に対応付けてｐＨ範囲登録部Ｂにより登録される。また、各移動相のｐＨが、ｐＨ登録部Ｄにより登録される。カラム選択部Ｅにより分析に用いるカラム２３１〜２３３が選択される。
【００５９】
ここで、登録されているｐＨが、選択されたカラムに対応付けて登録されているｐＨの範囲外である移動相が、選択されたカラムに供給されないように、分析制御部Ｈによりクロマトグラフ装置２００が制御される。一方、登録されているｐＨが、選択されたカラムに対応付けて登録されているｐＨの範囲内である移動相が、選択されたカラムに供給されつつ分析が行われるように、分析制御部Ｈによりクロマトグラフ装置２００が制御される。
【００６０】
この場合、登録されているｐＨが、選択されたカラム２３１〜２３３に対応付けて登録されているｐＨの範囲外であることにより、当該カラム２３１〜２３３を用いて分析する際に使用不可能な移動相が、当該カラム２３１〜２３３に供給されることが防止される。これにより、カラムの破損を防止することができる。
【００６１】
また、分析に用いるカラムとして複数のカラム２３１〜２３３がカラム選択部Ｅにより自動的に順次選択されるとともに、分析に用いる移動相として複数の移動相が移動相選択部Ｆにより自動的に順次選択される。カラムと移動相との組み合わせに対応する分析結果が取得部Ｊにより取得され、当該分析結果が評価部Ｋにより評価される。これにより、使用者は、試料の分析に最適なカラムと移動相との組み合わせを容易に判断することができる。
【００６２】
（７）他の実施の形態
（ａ）上記実施の形態において、クロマトグラフ制御装置１０は評価部Ｋを含むが、本発明はこれに限定されない。使用者がクロマトグラムを目視することによりクロマトグラムの良否を判断する場合には、クロマトグラフ制御装置１０は評価部Ｋを含まなくてもよい。この場合、図７のステップＳ３、図９のステップＳ２５のステップＳ３５は省略される。
【００６３】
（ｂ）上記実施の形態において、クロマトグラフ装置２００は液体クロマトグラフ装置であるが、本発明はこれに限定されない。クロマトグラフ装置２００は、超臨界クロマトグラフ装置等の他のクロマトグラフ装置であってもよい。
【００６４】
（ｃ）上記実施の形態において、クロマトグラフ制御装置１０はメソッドスカウティング処理を行うが、本発明はこれに限定されない。図１０は、クロマトグラフ制御プログラムにより行われる他のクロマトグラフ制御処理のアルゴリズムを示すフローチャートである。図１０のクロマトグラフ制御処理においては、図８のバッチファイル作成処理におけるステップＳ１１〜Ｓ１７とそれぞれ同様のＳ４１〜Ｓ４７が実行される。
【００６５】
その後、カラム選択部Ｅは、操作部１５０からの指示に基づいてカラム２３１〜２３３のうちいずれかのカラムを選択する（ステップＳ４８）。また、移動相選択部Ｆは、操作部１５０からの指示に基づいて複数の移動相のうちいずれかの移動相を選択する（ステップＳ４９）。使用者は、操作部１５０を操作することにより所望のカラム２３１〜２３３および所望の移動相を指示することができる。なお、ステップＳ４８とステップＳ４９とは、いずれが先に実行されてもよい。
【００６６】
分析制御部Ｈは、ステップＳ４９で選択された移動相に対応付けて登録されているｐＨが、ステップＳ４８で選択されたカラムの識別情報に対応付けて登録されているｐＨの範囲内であるか否かを判定する（ステップＳ５０）。移動相に対応付けて登録されているｐＨが、カラムの識別情報に対応付けて登録されている移動相のｐＨの範囲内である場合、分析制御部Ｈは、分析対象の試料の分析が行われるようにクロマトグラフ装置２００を制御する（ステップＳ５１）。当該分析においては、ステップＳ４９で選択された移動相がステップＳ４８で選択されたカラムに供給される。その後、分析制御部ＨはステップＳ５２に進む。
【００６７】
一方、ステップＳ５０で移動相に対応付けて登録されているｐＨが、カラムの識別情報に対応付けて登録されている移動相のｐＨの範囲内でない場合、移動相に対応付けて登録されているｐＨは、カラムの識別情報に対応付けて登録されている移動相のｐＨの範囲外となる。この場合、分析制御部Ｈは分析を行うことなくステップＳ５２に進む。これにより、カラムに登録されているｐＨの範囲外のｐＨを有する移動相が当該カラムに供給されることが防止される。
【００６８】
ステップＳ５２で、分析制御部Ｈは、クロマトグラフ制御処理の終了が指示されたか否かを判定する（ステップＳ５２）。使用者は、操作部１５０を操作することによりクロマトグラフ制御処理の終了を指示することができる。終了が指示されない場合、分析制御部ＨはステップＳ４８に戻る。終了が指示されるまで、ステップＳ４８〜Ｓ５２が繰り返される。終了が指示された場合、分析制御部Ｈはクロマトグラフ制御処理を終了する。
【００６９】
なお、図１０のステップＳ４８〜Ｓ５０において、使用者がカラムと移動相とを選択する画面において、移動相に対応付けて登録されているｐＨが、カラムの識別情報に対応付けて登録されているｐＨの範囲外となる、カラムと移動相との組み合わせが表示されないようにしてもよい。
【図１】
2020084785.tif 000003
【図２】
2020084785.tif 000004
【図３】
2020084785.tif 000005
【図４】
2020084785.tif 000006
【図５】
2020084785.tif 000007
【図６】
2020084785.tif 000008
【図７】
2020084785.tif 000009
【図８】
2020084785.tif 000010
【図９】
2020084785.tif 000011
【図１０】
2020084785.tif 000012
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
複数のカラムのいずれかと複数の移動相のいずれかとを用いて試料の分析を行うクロマトグラフ装置を制御するクロマトグラフ制御装置であって、
各カラムを用いて分析する際に使用可能な移動相のｐＨ値を有するｐＨの範囲を、各カラムの識別情報に対応付けて登録するｐＨ範囲登録部と、
各移動相のｐＨを登録するｐＨ登録部と、
分析に用いるカラムを選択するカラム選択部と、
前記ｐＨ登録部に登録されているｐＨが、前記カラム選択部により選択されたカラムに対応付けて前記ｐＨ範囲登録部に登録されているｐＨの範囲外である移動相が、前記選択されたカラムに供給されないように、前記クロマトグラフ装置を制御し、前記ｐＨ登録部に登録されているｐＨが、前記選択されたカラムに対応付けて前記ｐＨ範囲登録部に登録されているｐＨの範囲内である移動相が、前記選択されたカラムに供給されつつ分析が行われるように、前記クロマトグラフ装置を制御する分析制御部とを備える、クロマトグラフ制御装置。
【請求項２】
使用者の操作に基づいて、各カラムを用いて分析する際に使用可能な移動相のｐＨの範囲が入力されるｐＨ範囲入力部をさらに備え、
前記ｐＨ範囲登録部は、各カラムに対応付けて前記ｐＨ範囲入力部により入力されたｐＨの範囲を登録する、請求項１記載のクロマトグラフ制御装置。
【請求項３】
使用者の操作に基づいて、各移動相のｐＨが入力されるｐＨ入力部をさらに備え、
前記ｐＨ登録部は、各移動相について前記ｐＨ入力部により入力されたｐＨを登録する、請求項２記載のクロマトグラフ制御装置。
【請求項４】
分析に用いる移動相として前記複数の移動相を自動的に順次選択する移動相選択部と、
評価部とをさらに備え、
前記カラム選択部は、分析に用いるカラムとして前記複数のカラムを自動的に順次選択するように構成され、
前記分析制御部は、前記ｐＨ登録部に登録されているｐＨが、前記カラム選択部により選択されたカラムに対応付けて前記ｐＨ範囲登録部に登録されているｐＨの範囲外である移動相が、前記選択されたカラムに供給されず、前記ｐＨ登録部に登録されているｐＨが、前記選択されたカラムに対応付けて前記ｐＨ範囲登録部に登録されているｐＨの範囲内である移動相が、前記選択されたカラムに供給されるように、前記クロマトグラフ装置を制御し、
前記評価部は、前記分析制御部により実行された分析の結果を評価する、請求項１〜３のいずれか一項に記載のクロマトグラフ制御装置。
【請求項５】
各カラムと各移動相との組み合わせを含むバッチファイルを作成する作成部をさらに備え、
前記分析制御部は、前記バッチファイルに含まれるカラムと移動相との組み合わせに従って分析を実行するように前記クロマトグラフ装置を制御し、
前記作成部は、前記ｐＨ登録部に登録されているｐＨが、前記ｐＨ範囲登録部に登録されているｐＨの範囲外となる、カラムと移動相との組み合わせが前記バッチファイルに含まれないよう前記バッチファイルを作成する、請求項１〜３のいずれか一項に記載のクロマトグラフ制御装置。
【請求項６】
クロマトグラフ装置と、
請求項１〜３のいずれか一項に記載のクロマトグラフ制御装置とを備え、
前記クロマトグラフ装置は、
複数のカラムと、
複数の移動相のうちいずれかの移動相を前記複数のカラムのうちいずれかのカラムに供給する移動相供給部と、
前記カラムに試料を供給する試料供給部と、
前記カラムを通過した試料を検出する検出器とを含む、クロマトグラフシステム。
【請求項７】
複数のカラムのいずれかと複数の移動相のいずれかとを用いて試料の分析を行うクロマトグラフ装置を制御するクロマトグラフ制御方法であって、
各カラムを用いて分析する際に使用可能な移動相のｐＨ値を有するｐＨの範囲を、各カラムの識別情報に対応付けて登録するステップと、
各移動相のｐＨを登録するステップと、
分析に用いるカラムを選択するステップと、
登録されているｐＨが、選択されたカラムに対応付けて登録されているｐＨの範囲外である移動相が、前記選択されたカラムに供給されないように、前記クロマトグラフ装置を制御し、登録されているｐＨが、前記選択されたカラムに対応付けて登録されているｐＨの範囲内である移動相が、前記選択されたカラムに供給されつつ分析が行われるように、前記クロマトグラフ装置を制御するステップとを含む、クロマトグラフ制御方法。
【請求項８】
複数のカラムのいずれかと複数の移動相のいずれかとを用いて試料の分析を行うクロマトグラフ装置を制御するクロマトグラフ制御プログラムであって、
各カラムを用いて分析する際に使用可能な移動相のｐＨ値を有するｐＨの範囲を、各カラムの識別情報に対応付けて登録する処理と、
各移動相のｐＨを登録する処理と、
分析に用いるカラムを選択する処理と、
登録されているｐＨが、選択されたカラムに対応付けて登録されているｐＨの範囲外である移動相が、前記選択されたカラムに供給されないように、前記クロマトグラフ装置を制御し、登録されているｐＨが、前記選択されたカラムに対応付けて登録されているｐＨの範囲内である移動相が、前記選択されたカラムに供給されつつ分析が行われるように、前記クロマトグラフ装置を制御する処理とを、
処理装置に実行させる、クロマトグラフ制御プログラム。
【手続補正２】
【補正対象書類名】明細書
【補正対象項目名】０００５
【補正方法】変更
【補正の内容】
【０００５】
（１）本発明の一局面に従うクロマトグラフ制御装置は、複数のカラムのいずれかと複数の移動相のいずれかとを用いて試料の分析を行うクロマトグラフ装置を制御するクロマトグラフ制御装置であって、各カラムを用いて分析する際に使用可能な移動相のｐＨ値を有するｐＨの範囲を、各カラムの識別情報に対応付けて登録するｐＨ範囲登録部と、各移動相のｐＨを登録するｐＨ登録部と、分析に用いるカラムを選択するカラム選択部と、ｐＨ登録部に登録されているｐＨが、カラム選択部により選択されたカラムに対応付けてｐＨ範囲登録部に登録されているｐＨの範囲外である移動相が、選択されたカラムに供給されないように、クロマトグラフ装置を制御し、ｐＨ登録部に登録されているｐＨが、選択されたカラムに対応付けてｐＨ範囲登録部に登録されているｐＨの範囲内である移動相が、選択されたカラムに供給されつつ分析が行われるように、クロマトグラフ装置を制御する分析制御部とを備える。
【手続補正３】
【補正対象書類名】明細書
【補正対象項目名】００１３
【補正方法】変更
【補正の内容】
【００１３】
（６）本発明の他の局面に従うクロマトグラフシステムは、クロマトグラフ装置と、上記クロマトグラフ制御装置とを備え、クロマトグラフ装置は、複数のカラムと、複数の移動相のうちいずれかの移動相を複数のカラムのうちいずれかのカラムに供給する移動相供給部と、カラムに試料を供給する試料供給部と、カラムを通過した試料を検出する検出器とを含む。
【手続補正４】
【補正対象書類名】明細書
【補正対象項目名】００１５
【補正方法】変更
【補正の内容】
【００１５】
（７）本発明のさらに他の局面に従うクロマトグラフ制御方法は、複数のカラムのいずれかと複数の移動相のいずれかとを用いて試料の分析を行うクロマトグラフ装置を制御するクロマトグラフ制御方法であって、各カラムを用いて分析する際に使用可能な移動相のｐＨ値を有するｐＨの範囲を、各カラムの識別情報に対応付けて登録するステップと、各移動相のｐＨを登録するステップと、分析に用いるカラムを選択するステップと、登録されているｐＨが、選択されたカラムに対応付けて登録されているｐＨの範囲外である移動相が、選択されたカラムに供給されないように、クロマトグラフ装置を制御し、登録されているｐＨが、選択されたカラムに対応付けて登録されているｐＨの範囲内である移動相が、選択されたカラムに供給されつつ分析が行われるように、クロマトグラフ装置を制御するステップとを含む。
【手続補正５】
【補正対象書類名】明細書
【補正対象項目名】００１７
【補正方法】変更
【補正の内容】
【００１７】
（８）本発明のさらに他の局面に従うクロマトグラフ制御プログラムは、複数のカラムのいずれかと複数の移動相のいずれかとを用いて試料の分析を行うクロマトグラフ装置を制御するクロマトグラフ制御プログラムであって、各カラムを用いて分析する際に使用可能な移動相のｐＨ値を有するｐＨの範囲を、各カラムの識別情報に対応付けて登録する処理と、各移動相のｐＨを登録する処理と、分析に用いるカラムを選択する処理と、登録されているｐＨが、選択されたカラムに対応付けて登録されているｐＨの範囲外である移動相が、選択されたカラムに供給されないように、クロマトグラフ装置を制御し、登録されているｐＨが、選択されたカラムに対応付けて登録されているｐＨの範囲内である移動相が、選択されたカラムに供給されつつ分析が行われるように、クロマトグラフ装置を制御する処理とを、処理装置に実行させる。
【国際調査報告】
2020084785.tif 000013
2020084785.tif 000014
2020084785.tif 000015
2020084785.tif 000016